(57)【要約】      （修正有）【課題】セル選択方法、基地局、および無線通信システムを提供する。【解決手段】クローズ対象の無線アクセスポイントにおける各ユーザ端末に対しターゲットセルを検索するステップＡと、前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズするステップＢと、を含む。【選択図】図３
2014220816.tif 000002
【特許請求の範囲】
【請求項１】
無線通信システムにおけるセル選択方法であって、
クローズ対象の無線アクセスポイントにおける各ユーザ端末に対しターゲットセルを検索するステップＡと、
前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズするステップＢと、
を含むことを特徴とする方法。
【請求項２】
前記ステップＡは、
前記ユーザ端末で測定された信号強度指示と、前記システムにおける無線アクセスポイントの負荷指示と、無線アクセスポイントのカバー範囲とのうちの１つまたは複数のパラメータに基づいて、前記ユーザ端末に対しターゲットセルを検索する、ことを含む、
ことを特徴とする請求項１に記載の方法。
【請求項３】
前記ステップＡは、
前記システムの無線アクセスポイントから、接続ユーザ数またはリソース使用率が第１の所定負荷閾値より大きい無線アクセスポイントを、前記ターゲットセルとして選択し、
または、
前記システムの無線アクセスポイントから、平均ユーザスループットが第１の所定負荷閾値より小さい無線アクセスポイントを、前記ターゲットセルとして選択する、ことを含む、
ことを特徴とする請求項１に記載の方法。
【請求項４】
前記ステップＡは、
前記ユーザ端末で測定されたクローズ対象の無線アクセスポイントの信号強度指示と、前記システムにおけるほかの無線アクセスポイントの信号強度指示との差分に基づいて、前記ターゲットセルを選択し、前記差分が所定差分閾値より小さいほかの無線アクセスポイントを前記ターゲットセルとする、ことを含む、
ことを特徴とする請求項１に記載の方法。
【請求項５】
前記信号強度指示は、参照信号受信電力（ＲＳＲＰ）、参照信号受信品質（ＲＳＲＱ）、信号対干渉雑音比（ＳＩＮＲ）、受信信号強度指示（ＲＳＳＩ）のうちの少なくとも１つのパラメータを含む、
ことを特徴とする請求項４に記載の方法。
【請求項６】
ステップＡの前に、第２の所定負荷閾値に基づいて、前記クローズ対象の無線アクセスポイントの負荷の高低を判断し、前記クローズ対象の無線アクセスポイントの負荷が前記第２の所定負荷閾値より低い場合、ステップＡとＢとを実行し、前記クローズ対象の無線アクセスポイントの負荷が前記第２の所定負荷閾値より低くない場合、ユーザ端末で測定された複数の無線アクセスポイントの信号強度指示に基づいてセル選択を行うステップＣを実行し、
または、
ステップＡの前に、所定カバレッジ閾値に基づいて、前記クローズ対象の無線アクセスポイントのカバーする領域の大小を判断し、前記クローズ対象の無線アクセスポイントのカバー領域が前記所定カバレッジ閾値より小さい場合、ステップＡとＢとを実行し、前記クローズ対象の無線アクセスポイントのカバー領域が前記所定カバレッジ閾値より小さくない場合、ユーザ端末で測定された複数の無線アクセスポイントの信号強度指示に基づいてセル選択を行うステップＣを実行する、ことをさらに含む、
ことを特徴とする請求項１に記載の方法。
【請求項７】
前記ステップＣは、
前記クローズ対象の無線アクセスポイントにおける通信分布が均一であるかどうかを判断し、均一である場合、ユーザ端末で測定された複数の無線アクセスポイントの信号強度指示に基づいてセル選択を行い、均一ではない場合、負荷分散方法に基づいてセル選択を行う、ことをさらに含む、
ことを特徴とする請求項６に記載の方法。
【請求項８】
前記システムにおける無線アクセスポイントの負荷指示および／またはカバー範囲に基づいて、負荷の最も低いまたはカバレッジの最も小さい１つまたは複数の無線アクセスポイントを、前記クローズ対象の無線アクセスポイントとして選択する、ことをさらに含む、
ことを特徴とする請求項１〜７のいずれか１項に記載の方法。
【請求項９】
基地局であって、
クローズ対象の無線アクセスポイントにおける各ユーザ端末に対しターゲットセルを検索するターゲットセル検索モジュールと、前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズするセルクローズ制御モジュールとが設けられる第１のセル選択手段を含む、
ことを特徴とする基地局。
【請求項１０】
前記ターゲットセル検索モジュールは、前記ユーザ端末で測定された信号強度指示と、無線通信システムにおける無線アクセスポイントの負荷指示と、無線アクセスポイントのカバー範囲とのうちの１つまたは複数のパラメータに基づいて、前記ユーザ端末に対しターゲットセルを検索する、
ことを特徴とする請求項９に記載の基地局。
【請求項１１】
前記ターゲットセル検索モジュールは、無線通信システムの無線アクセスポイントから、接続ユーザ数またはリソース使用率が第１の所定負荷閾値より大きい無線アクセスポイントを前記ターゲットセルとして選択し、または、前記システムの無線アクセスポイントから、平均ユーザスループットが第１の所定負荷閾値より小さい無線アクセスポイントを前記ターゲットセルとして選択する、
ことを特徴とする請求項９に記載の基地局。
【請求項１２】
前記ターゲットセル検索モジュールは、前記ユーザ端末で測定されたクローズ対象の無線アクセスポイントの信号強度指示と、無線通信システムにおけるほかの無線アクセスポイントの信号強度指示との差分に基づいて、前記ターゲットセルを選択し、前記差分が所定差分閾値より小さいほかの無線アクセスポイントを前記ターゲットセルとする、
ことを特徴とする請求項９に記載の基地局。
【請求項１３】
ユーザ端末で測定された複数の無線アクセスポイントの信号強度指示に基づいて、セル選択を行う第２のセル選択手段と、
第２の所定負荷閾値に基づいて、前記クローズ対象の無線アクセスポイントの負荷の高低を判断し、前記クローズ対象の無線アクセスポイントの負荷が前記第２の所定負荷閾値より低い場合、前記第１のセル選択手段の起動動作をトリガーし、前記クローズ対象の無線アクセスポイントの負荷が前記第２の所定負荷閾値より低くない場合、前記第２のセル選択手段の起動動作をトリガーし、または、所定カバレッジ閾値に基づいて、前記クローズ対象の無線アクセスポイントのカバーする領域の大小を判断し、前記クローズ対象の無線アクセスポイントのカバー領域が前記所定カバレッジ閾値より小さい場合、前記第１のセル選択手段の起動動作をトリガーし、前記クローズ対象の無線アクセスポイントのカバー領域が前記所定カバレッジ閾値より小さくない場合、前記第２のセル選択手段の起動動作をトリガーするセル選択制御手段と、をさらに含む、
ことを特徴とする請求項９に記載の基地局。
【請求項１４】
前記第２のセル選択手段は、さらに、前記クローズ対象の無線アクセスポイントにおける通信分布が均一であるかどうかを判断し、均一である場合、ユーザ端末で測定された複数の無線アクセスポイントの信号強度指示に基づいてセル選択を行い、均一ではない場合、負荷分散方法に基づいてセル選択を行う、
ことを特徴とする請求項１３に記載の基地局。
【請求項１５】
前記第１のセル選択手段は、
前記システムにおける無線アクセスポイントの負荷指示および／またはカバー範囲に基づいて、負荷の最も低いまたはカバレッジの最も小さい１つまたは複数の無線アクセスポイントを、前記クローズ対象の無線アクセスポイントとして選択するクローズ対象セル選択モジュールを、さらに含む、
ことを特徴とする請求項９〜１４のいずれか１項に記載の基地局。
【請求項１６】
無線通信システムであって、
１つまたは複数の基地局と、ユーザ端末とを含み、
前記ユーザ端末は、前記１つまたは複数の基地局から、負荷指示および／またはカバー範囲を受信して、対応するターゲットセルを検索し、および／または、前記ユーザ端末で測定された信号強度指示に基づいてターゲットセルを検索して、決定されたターゲットセル識別子が付けられたセル選択報告を、前記ユーザ端末のソースセル基地局に送信し、
前記ソースセル基地局は、自局の管轄する全てのユーザ端末が、いずれも、対応するターゲットセルを検索したとき、自局の管轄する各ユーザ端末へハンドオーバーコマンドを送信して、ハンドオーバーが完成した後に、自局をクローズする、
ことを特徴とする無線通信システム。
【請求項１７】
前記ユーザ端末は、前記システムの無線アクセスポイントから、接続ユーザ数またはリソース使用率が第１の所定負荷閾値より大きい無線アクセスポイントを前記ターゲットセルとして選択し、または、前記システムの無線アクセスポイントから、平均ユーザスループットが第１の所定負荷閾値より小さい無線アクセスポイントを前記ターゲットセルとして選択する、
ことを特徴とする請求項１６に記載の無線通信システム。
【請求項１８】
前記ユーザ端末は、前記ユーザ端末で測定されたクローズ対象の無線アクセスポイントの信号強度指示と、前記システムにおけるほかの無線アクセスポイントの信号強度指示との差分に基づいて、前記ターゲットセルを選択し、前記差分が所定差分閾値より小さいほかの無線アクセスポイントを前記ターゲットセルとする、
ことを特徴とする請求項１６に記載の無線通信システム。
【発明の詳細な説明】
【技術分野】
【０００１】
本発明は、通信分野に関し、特に、セル選択方法、および該方法を実現する基地局ならびに無線通信システムに関する。
【背景技術】
【０００２】
無線通信システムにおいて多種類の無線アクセスポイントが配置されることができ、これらの異なるタイプの無線アクセスポイントは、異なる動作周波数または異なるレベルのカバー範囲などを持っている可能性がある。例えば、マクロセル基地局とスモールセル（ｓｍａｌｌ  ｃｅｌｌ）基地局は、２つの異なるタイプの無線アクセスポイントに属する。一般的に、マクロセル基地局は２ＧＨｚで動作する一方、スモールセル基地局は３．５ＧＨｚで動作する。密なネットワーク（ｄｅｎｓｅ  ｎｅｔｗｏｒｋ）は、１つまたは複数のスモールセルを含むことができ、通常、トラフィックが比較的大きい領域、例えばスタジアム、ショッピングセンター、昼間の市内中心部、ラッシュアワーの地下鉄ホームなどに配置され、これにより、無線通信システム全体の容量を向上させる。ある領域に配置される複数のスモールセルは、スモールセルグループまたはスモールセル層を構成する。説明すべきところとして、スモールセルのカバー範囲は、通常、マクロセルより小さくなり、具体的に、マイクロセル（ｍｉｃｒｏ  ｃｅｌｌ）、ピコセル（ｐｉｃｏ  ｃｅｌｌ）、フェムトセル（ｆｅｍｔｏ  ｃｅｌｌ）、リモート無線基地局（ＲＲＨ）などであってよい。
【０００３】
３ＧＰＰは、たとえばＲｅｌ−１２  ＳＣＥ  ＳＩなどに以下のシナリオを定義し、下記のシナリオにおけるユーザは、室内または室外に分布するようにしてよい。シナリオ１は、図１ａに示すようになり、マクロセル基地局が、室外（ｏｕｔｄｏｏｒ）に配置され、スモールセルグループにおける基地局も室外に配置され、スモールセルグループのカバーする領域が、マクロセルのカバー範囲内にあり、または両者のカバー範囲が重なる。シナリオ２は、図１ｂに示すようになり、シナリオ１と違うのは、スモールセルグループにおける基地局が室内（ｉｎｄｏｏｒ）に配置される、ことである。シナリオ３は、図１ｃに示すようになり、室内に配置されるスモールセルグループのみが、ユーザ端末に対し通信サービスを提供する。説明すべきところとして、同一の地理的領域にマクロセル層と、複数のスモールセルからなるスモールセル層とが存在する場合について、通常、スモールセル層によってネットワークにおける大部のトラフィックをキャリアする。
【０００４】
スモールセルがある環境下で（例えば図１ａ〜１ｃ）、ユーザ端末（ＵＥ）は、スモールセル層内にセル選択を行うとき、通常、最大となる参照信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）を有するスモールセルをサービングセルとすることにより（以下、ＲＳＲＰ方法と呼ばれる）、ＵＥが最も強い信号を受信できるように保証する。図２は、ＲＳＲＰ方法（ステップ２０２〜２０４を含む）の実現フローを示し、マクロセル基地局は、ステップ２０１で、あるＵＥからＲＳＲＰ測定報告を取得し、ステップ２０２で、該ＵＥがセルハンドオーバーを実行する必要があるかどうかを判断し、必要がある場合、ステップ２０３で、該ＵＥに対し第一ＲＳＲＰ基地局をサービング基地局として選択して、ステップ２０４で、該ＵＥへハンドオーバーコマンド（ｈａｎｄｏｖｅｒ  ｃｏｍｍａｎｄ）を送信し、該ＵＥに対し第一ＲＳＲＰ基地局を介して通信ネットワークにアクセスするよう要求して、図２のフローを終了する一方、必要がない場合、そのまま図２のフローを終了する。ここで、第一ＲＳＲＰ基地局は、最大となるＲＳＲＰを有するスモールセル基地局であってよい。
【０００５】
しかし、ＲＳＲＰ方法では、以下の１つまたは複数の問題がある。例えば、あるスモールセルは、負荷が低くても動作を起動することで、通信ネットワークの干渉を増加させてしまう。また例えば、スモールセルの負荷の高低の状況および通信分布が均一であるかどうかなどの問題が考慮されていない。ＵＥ分布とスモールセル分布が一致していない場合、スモールセルグループにおけるトラフィックの分布は均一ではないが、ＲＳＲＰ方法では、このような状況が考慮されていない。
【発明の概要】
【発明が解決しようとする課題】
【０００６】
本発明の実施例は、セル選択方法、および該方法を実現する基地局ならびに無線通信システムを提供している。
【課題を解決するための手段】
【０００７】
具体的に、本発明の実施例で無線通信システムにおけるセル選択方法が提供され、クローズ対象の無線アクセスポイントにおける各ユーザ端末に対しターゲットセルを検索するステップＡと、前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズするステップＢと、を含む。
【０００８】
具体的な実現で、前記ステップＡは、前記ユーザ端末で測定された信号強度指示と、前記システムにおける無線アクセスポイントの負荷指示と、無線アクセスポイントのカバー範囲とのうちの１つまたは複数のパラメータに基づいて、前記ユーザ端末に対しターゲットセルを検索する、ことを含む。
【０００９】
具体的な実現で、前記ステップＡは、前記システムの無線アクセスポイントから、接続ユーザ数またはリソース使用率が第１の所定負荷閾値より大きい無線アクセスポイントを、前記ターゲットセルとして選択し、または、前記システムの無線アクセスポイントから、平均ユーザスループットが第１の所定負荷閾値より小さい無線アクセスポイントを、前記ターゲットセルとして選択する、ことを含む。
【００１０】
具体的な実現で、前記ステップＡは、前記ユーザ端末で測定されたクローズ対象の無線アクセスポイントの信号強度指示と、前記システムにおけるほかの無線アクセスポイントの信号強度指示との差分に基づいて、前記ターゲットセルを選択し、前記差分が所定差分閾値より小さいほかの無線アクセスポイントを前記ターゲットセルとする、ことを含む。
【００１１】
具体的な実現で、前記信号強度指示は、参照信号受信電力（ＲＳＲＰ）、参照信号受信品質（ＲＳＲＱ）、信号対干渉雑音比（ＳＩＮＲ）、受信信号強度指示（ＲＳＳＩ）のうちの少なくとも１つのパラメータを含む。
【００１２】
該方法は、ステップＡの前に、第２の所定負荷閾値に基づいて、前記クローズ対象の無線アクセスポイントの負荷の高低を判断し、前記クローズ対象の無線アクセスポイントの負荷が前記第２の所定負荷閾値より低い場合、ステップＡとＢとを実行し、前記クローズ対象の無線アクセスポイントの負荷が前記第２の所定負荷閾値より低くない場合、ユーザ端末で測定された複数の無線アクセスポイントの信号強度指示に基づいてセル選択を行うステップＣを実行し、または、ステップＡの前に、所定カバレッジ閾値に基づいて、前記クローズ対象の無線アクセスポイントのカバーする領域の大小を判断し、前記クローズ対象の無線アクセスポイントのカバー領域が前記所定カバレッジ閾値より小さい場合、ステップＡとＢとを実行し、前記クローズ対象の無線アクセスポイントのカバー領域が前記所定カバレッジ閾値より小さくない場合、ユーザ端末で測定された複数の無線アクセスポイントの信号強度指示に基づいてセル選択を行うステップＣを実行する、ことをさらに含む。
【００１３】
具体的な実現で、前記ステップＣは、前記クローズ対象の無線アクセスポイントにおける通信分布が均一であるかどうかを判断し、均一である場合、ユーザ端末で測定された複数の無線アクセスポイントの信号強度指示に基づいてセル選択を行い、均一ではない場合、負荷分散方法に基づいてセル選択を行う、ことをさらに含む。
【００１４】
該方法は、前記システムにおける無線アクセスポイントの負荷指示および／またはカバー範囲に基づいて、負荷の最も低いまたはカバレッジの最も小さい１つまたは複数の無線アクセスポイントを、前記クローズ対象の無線アクセスポイントとして選択する、ことをさらに含む。
【００１５】
また、本発明の実施例で基地局が提供され、クローズ対象の無線アクセスポイントにおける各ユーザ端末に対しターゲットセルを検索するターゲットセル検索モジュールと、前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズするセルクローズ制御モジュールとが設けられる第１のセル選択手段を含む。
【００１６】
具体的な実現で、前記ターゲットセル検索モジュールは、前記ユーザ端末で測定された信号強度指示と、前記システムにおける無線アクセスポイントの負荷指示と、無線アクセスポイントのカバー範囲とのうちの１つまたは複数のパラメータに基づいて、前記ユーザ端末に対しターゲットセルを検索する。
【００１７】
具体的な実現で、前記ターゲットセル検索モジュールは、無線通信システムの無線アクセスポイントから、接続ユーザ数またはリソース使用率が第１の所定負荷閾値より大きい無線アクセスポイントを前記ターゲットセルとして選択し、または、前記システムの無線アクセスポイントから、平均ユーザスループットが第１の所定負荷閾値より小さい無線アクセスポイントを前記ターゲットセルとして選択する。
【００１８】
具体的な実現で、前記ターゲットセル検索モジュールは、前記ユーザ端末で測定されたクローズ対象の無線アクセスポイントの信号強度指示と、無線通信システムにおけるほかの無線アクセスポイントの信号強度指示との差分に基づいて、前記ターゲットセルを選択し、前記差分が所定差分閾値より小さいほかの無線アクセスポイントを前記ターゲットセルとする。
【００１９】
該基地局は、ユーザ端末で測定された複数の無線アクセスポイントの信号強度指示に基づいて、セル選択を行う第２のセル選択手段と、第２の所定負荷閾値に基づいて、前記クローズ対象の無線アクセスポイントの負荷の高低を判断し、前記クローズ対象の無線アクセスポイントの負荷が前記第２の所定負荷閾値より低い場合、前記第１のセル選択手段の起動動作をトリガーし、前記クローズ対象の無線アクセスポイントの負荷が前記第２の所定負荷閾値より低くない場合、前記第２のセル選択手段の起動動作をトリガーし、または、所定カバレッジ閾値に基づいて、前記クローズ対象の無線アクセスポイントのカバー領域の大小を判断し、前記クローズ対象の無線アクセスポイントのカバー領域が前記所定カバレッジ閾値より小さい場合、前記第１のセル選択手段の起動動作をトリガーし、前記クローズ対象の無線アクセスポイントのカバー領域が前記所定カバレッジ閾値より小さくない場合、前記第２のセル選択手段の起動動作をトリガーするセル選択制御手段と、をさらに含む。
【００２０】
具体的な実現で、前記第２のセル選択手段は、さらに、前記クローズ対象の無線アクセスポイントにおける通信分布が均一であるかどうかを判断し、均一である場合、ユーザ端末で測定された複数の無線アクセスポイントの信号強度指示に基づいてセル選択を行い、均一ではない場合、負荷分散方法に基づいてセル選択を行う。
【００２１】
具体的な実現で、前記第１のセル選択手段は、前記システムにおける無線アクセスポイントの負荷指示および／またはカバー範囲に基づいて、負荷の最も低いまたはカバレッジの最も小さい１つまたは複数の無線アクセスポイントを、前記クローズ対象の無線アクセスポイントとして選択するクローズ対象セル選択モジュールを、さらに含む。
【００２２】
また、本発明の実施例で無線通信システムが提供され、１つまたは複数の基地局と、ユーザ端末とを含み、前記ユーザ端末は、前記１つまたは複数の基地局から、負荷指示および／またはカバー範囲を受信して、対応するターゲットセルを検索し、および／または、前記ユーザ端末で測定された信号強度指示に基づいてターゲットセルを検索して、決定されたターゲットセル識別子が付けられたセル選択報告を、前記ユーザ端末のソースセル基地局に送信し、前記ソースセル基地局は、自局の管轄する全てのユーザ端末が、いずれも、対応するターゲットセルを検索したとき、自局の管轄する各ユーザ端末へハンドオーバーコマンドを送信して、ハンドオーバーが完成した後に、自局をクローズする。
【００２３】
具体的な実現で、前記ユーザ端末は、前記システムの無線アクセスポイントから、接続ユーザ数またはリソース使用率が第１の所定負荷閾値より大きい無線アクセスポイントを前記ターゲットセルとして選択し、または、前記システムの無線アクセスポイントから、平均ユーザスループットが第１の所定負荷閾値より小さい無線アクセスポイントを前記ターゲットセルとして選択する。
【００２４】
具体的な実現で、前記ユーザ端末は、前記ユーザ端末で測定されたクローズ対象の無線アクセスポイントの信号強度指示と、前記システムにおけるほかの無線アクセスポイントの信号強度指示との差分に基づいて、前記ターゲットセルを選択し、前記差分が所定差分閾値より小さいほかの無線アクセスポイントを前記ターゲットセルとする。
【発明の効果】
【００２５】
ここからわかるように、本発明の実施例で提供されているセル選択方式は、複雑さが低くなり、セルクローズによってたとえばＳＩＮＲなどの通信品質の改善をもたらし、これによってリソース利用および通信品質（例えばＳＩＮＲ）などの要素の間でバランスが取られる。さらに、本発明の実施例で提供されている方式は、シグナリング交互でのオーバーヘッドが小さくなる。
【図面の簡単な説明】
【００２６】
【図１ａ】３ＧＰＰに定義された密なネットワークを示す図である。
【図１ｂ】３ＧＰＰに定義された密なネットワークを示す図である。
【図１ｃ】３ＧＰＰに定義された密なネットワークを示す図である。
【図２】ＲＳＲＰ方法の実現フローを示す図である。
【図３】本発明の一実施例におけるＩＡ方法の実現フローチャートである。
【図４】本発明の別の実施例におけるＩＡ方法の実現フローチャートである。
【図５ａ】本発明の一実施例にユーザプレーンと制御プレーンとの分離の具体的なシナリオを示す図である。
【図５ｂ】図４に示すフローの実現シナリオである。
【図６】本発明の一実施例でＩＡ方法を採用してセル選択を行う具体的なフローを示す図である。
【図７】本発明の別の実施例でＩＡ方法およびＲＳＲＰ方法を採用してセル選択を行う具体的なフローを示す図である。
【図８】本発明のさらに別の実施例でＩＡ方法と、ＲＳＲＰ方法およびＲＡ方法を採用してセル選択を行う具体的なフローを示す図である。
【図９】本発明の一実施例でＵＥ側によってセル選択を制御する方法のフローチャートである。
【図１０】本発明の別の実施例でＵＥ側によってセル選択を制御する方法のフローチャートである。
【図１１】本発明のさらに別の実施例でＵＥ側によってセル選択を制御する方法のフローチャートである。
【図１２】本発明の一実施例におけるセル選択を実現するための基地局の構成を示す図である。
【図１３】本発明の別の実施例におけるセル選択を実現するための基地局の構成を示す図である。
【図１４】本発明の一実施形態にセル選択を実現するための無線通信システムの構成を示す図である。
【発明を実施するための形態】
【００２７】
本発明の目的、解決手段およびメリットをさらに明確にするために、以下、図面を参照しながら実施例を挙げて、本発明をさらに詳しく説明する。
【００２８】
本発明の実施例では、セル選択方法が提供され、クローズ対象の無線アクセスポイントにおける各ユーザ端末に対しターゲットセルを検索し（ステップ３０１）、前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズする（ステップ３０２）。説明すべきところとして、無線アクセスポイントをクローズすることは、該無線アクセスポイントがデータを送信しないように、そのデータチャネルをクローズ（ｍｕｔｅ）するようにしてよい。ほかの具体的な実現で、無線アクセスポイントがデータを送信していないし、参照信号も送信しないように、無線アクセスポイントをクローズするようにしてもよい。さらに、該方法は、無線通信システムにおける無線アクセスポイントの負荷指示と、干渉指示と、カバー範囲とのうちの１つまたは複数のパラメータに基づいて、負荷の最も低いまたは干渉の最も大きいまたはカバレッジの最も小さい１つまたは複数の無線アクセスポイントを、前記クローズ対象の無線アクセスポイントとして選択する（ステップ３００）。代わりに、該方法は、システムにおける全ての無線アクセスポイントに対して、１つ１つに、クローズできるかどうかを判断するようにしてよい。
【００２９】
ステップ３０１の具体的な実現で、無線通信システムにおける無線アクセスポイントの負荷指示と、干渉指示と、カバー範囲とのうちの１つまたは複数のパラメータに基づいて、前記ユーザ端末に対しターゲットセルを検索するようにしてよい。ここで、負荷指示は、接続ユーザ数、リソース使用率または平均ユーザスループットなどであってよく、干渉指示は、該無線アクセスポイントによるほかのセルへの干渉程度を評価し、カバー範囲は、アンテナ配置（例えば、アンテナ構成、サイズ、放置位置など）または送信電力などであってよい。または、ステップ３０１のほかの具体的な実現で、ユーザ端末で測定された信号強度指示に基づいて、ターゲットセルを検索するようにしてもよい。あるいは、無線アクセスポイントの負荷指示、干渉指示、カバー範囲、およびユーザ端末で測定された信号強度指示などの１つまたは複数のパラメータに基づいて、該ユーザ端末に対しターゲットセルを検索する。例えば、前記ユーザ端末で測定された信号強度指示と、前記システムにおける無線アクセスポイントの負荷指示と、無線アクセスポイントのカバー範囲とのうちの１つまたは複数のパラメータに基づいて、前記ユーザ端末に対しターゲットセルを検索するようにしてもよい。
【００３０】
具体的に、無線通信システムにおける全ての無線アクセスポイントから、接続ユーザ数またはリソース使用率が第１の所定負荷閾値より大きい無線アクセスポイントを前記ターゲットセルとして選択するようにしてよい。無線通信システムにおける無線アクセスポイントから、平均ユーザスループットが第１の所定負荷閾値より小さい無線アクセスポイントを前記ターゲットセルとして選択するようにしてもよい。具体的に、送信電力が所定カバレッジ閾値より大きい無線アクセスポイントを選択してターゲットセルとするようにしてもよい。
【００３１】
本発明のほかの具体的な実現で、前記ユーザ端末で測定されたクローズ対象の無線アクセスポイントの信号強度指示と、前記システムにおけるほかの無線アクセスポイントの信号強度指示との差分に基づいて、前記ターゲットセルを選択し、前記差分が所定差分閾値より小さいほかの無線アクセスポイントを前記ターゲットセルとするようにしてもよい。ここで、信号強度指示は、参照信号受信電力（ＲＳＲＰ）、参照信号受信品質（ＲＳＲＱ）、信号対干渉雑音比（ＳＩＮＲ）、受信信号強度指示（ＲＳＳＩ）などのうちの少なくとも１つのパラメータを含むようにしてよい。
【００３２】
説明すべきところとして、負荷指示、干渉指示、カバー範囲などのパラメータに基づいてクローズ対象の無線アクセスポイントを選択する方式は、負荷指示、干渉指示、カバー範囲などのパラメータに基づいてターゲットセルを検索する方式とは異なるものである。クローズ対象の無線アクセスポイントを選択する場合、負荷低、干渉大、カバレッジ小の無線アクセスポイントを優先的に選択するようにしてよい。逆に、ターゲットセルを検索する場合、負荷高、干渉小、カバレッジ大の無線アクセスポイントをターゲットセルの基地局として決定する。
【００３３】
本発明の具体的な実現で、クローズ対象の無線アクセスポイントはスモールセルグループのうちの１つまたは複数のスモールセルであってよい。即ち、本発明の実施例は、スモールセルグループにおける、例えばトラフィックロード（ｔｒａｆｆｉｃ  ｌｏａｄ）の比較的低いセルをミュート（ｍｕｔｅ）するようにしてよく、これによって無線通信システムの干渉を低減させる。以下、本発明の実施例のセル選択方法が干渉意識（ＩＡ：Ｉｎｔｅｒｆｅｒｅｎｃｅ  Ａｗａｒｅｎｅｓｓ）方法と呼ばれることもできる。
【００３４】
本発明の実施例で提供されているＩＡ方法では、１つまたは複数のスモールセルをクローズする場合、基地局側（ｅＮＢ）によって制御されるようにしてよく、ＵＥと基地局とによって協同制御されてＵＥ側によってターゲットセルを選択するようにしてもよい。基地局側によって制御されるフローについて、マクロセル基地局によって主な制御を行うようにしてよく、またはスモールセルグループのうちのあるスモールセル基地局によって主な制御を行うようにしてもよい。
【００３５】
図４は、本発明の一実施例におけるＩＡ方法の実現フローチャートであり、図４の方法で、ユーザプレーン（Ｕ−ｐｌａｎｅ）と制御プレーン（Ｃ−ｐｌａｎｅ）とが分離して、制御プレーンは、マクロセル層で実現される一方、ユーザプレーンは、スモールセル層で実現され、該シナリオについて、図５ａを参照する。具体的に、図４は、以下のステップを含む。
【００３６】
スモールセルＡでのあるユーザ（以下、ＵＥ１と呼ぶ）は、ステップ４０１で通常のＲＳＲＰ測定を行った後に、ステップ４０２でマクロセル基地局へＲＳＲＰ測定報告を送信する。スモールセルＡの基地局もステップ４０３でマクロセル基地局へ負荷指示（ｌｏａｄ  ｉｎｄｉｃａｔｏｒ）を送信する。具体的な実現で、該負荷指示は、接続ユーザ数、リソース使用率（ｒｅｓｏｕｒｃｅ  ｕｓａｇｅ）、平均ユーザスループットなどを含むようにしてよい。ほかの具体的な実現で、スモールセルＡの基地局はステップ４０３で、マクロセル基地局へ干渉指示を送信するようにしてよく、またはそのカバー範囲をマクロセル基地局に通知するようにしてもよい。説明すべきところとして、本実施例では、ステップ４０３とステップ４０１〜４０２との実行上の順序が限定されていない。
【００３７】
ステップ４０４で、マクロセル基地局は、スモールセルＡをクローズ対象のスモールセルとして選択して、スモールセルＡにおける各ユーザ（ＵＥ１を含む）に対しターゲットセルを選択する。具体的に、マクロセル基地局がクローズ対象のスモールセルを選択する条件は、該スモールセルによる隣接セルへの干渉が所定閾値より大きいこと、または該スモールセルの接続ユーザ数が第１の所定負荷閾値より小さいこと、などであってよい。また、以下の１つまたは複数の約束条件に基づいて、ターゲットセルの選択を行うようにしてもよい。例えば、接続ユーザ数が０より大きいターゲットセルを選択する。また例えば、セルＡ（即ち、スモールセルＡ）のＲＳＲＰと、セルＢのＲＳＲＰとの差分が所定差分閾値以内である場合、セルＢをターゲットセルとして選択するようにしてよい。
【００３８】
ステップ４０５で、マクロセル基地局は、スモールセルＡにおける全てのユーザに対しターゲットセルを選択したかどうかを判断し、全てのユーザに対し１つまたは複数のターゲットセルを選択した場合、ステップ４０６で該スモールセルＡの全てのユーザへハンドオーバーコマンドを送信する。ステップ４０７で、ＵＥ１は、ハンドオーバーコマンドを受信した後に、対応するターゲットセル（例えば、スモールセルＢ）の基地局へ物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）ランダムアクセス要求を送信し、通信データをスモールセルＡからスモールセルＢに移転する。スモールセルＡにおけるほかのユーザについて、ＵＥ１の処理フローを参照して処理を行い、通信データをスモールセルＡから、該ユーザに対し選択された対応するターゲットセルに移転するようにしてよい。
【００３９】
例えば、図５ｂに示すシナリオで、セル選択を行う前に、スモールセル１には、２つのユーザ（ＵＥ１とＵＥ２）があり、スモールセル２および３には、それぞれ３つのユーザがある一方、スモールセル４では、データチャネルがクローズ（ｍｕｔｅ）された。スモールセル１をクローズ対象のスモールセルとして選択した後に、ＵＥ１とＵＥ２に対しターゲットセルを選択する必要がある。ここから分かるように、ＵＥ１のターゲットセルは、スモールセル３である一方、ＵＥ２のターゲットセルは、スモールセル２である。相応的に、ＵＥ１をスモールセル３に移転し、ＵＥ２をスモールセル２に移転して、スモールセル１をクローズする。
【００４０】
図６は、本発明の一実施例でＩＡ方法を採用してセル選択を行う具体的なフローを示し、ここで、マクロセル基地局は、主な制御役割を果し、該マクロセル基地局によってクローズ対象のスモールセルにおけるＵＥに対しターゲットセルを選択する。
【００４１】
ステップ６０１で、マクロセル基地局は、そのカバー範囲内の１つまたは複数のＵＥのＲＳＲＰ測定報告を受信する。ステップ６０２で、該マクロセル基地局は、該マクロセルに対応するスモールセルグループにおける各スモールセルの負荷指示を取得する。ステップ６０３で、マクロセル基地局は、全てのスモールセルを負荷に従って並べ替えて負荷並べ替えリストを得る。ステップ６０４で、リストの中に負荷の最も低いスモールセルにおける全てのＵＥに対し、対応するターゲットセルを探し出すことができるかどうかを判断する。リストの中に負荷の最も低いスモールセルにおける全てのＵＥに対し、対応するターゲットセルを探し出した場合、ステップ６０５に進み、対応するターゲットセルを該ＵＥの新しいサービングセルとして選択する。ステップ６０６で、マクロセル基地局は、負荷の最も低いスモールセルにおける全てのＵＥへハンドオーバーコマンドを送信して、ステップ６０７に進む。リストの中に負荷の最も低いスモールセルにおける全てのＵＥに対し、対応するターゲットセルを探し出さない場合、そのままステップ６０７に進む。ステップ６０７で、負荷の最も低いスモールセルを負荷並べ替えリストから削除する。ステップ６０８で、負荷並べ替えリストにおけるセル数が所定の動作セル閾値より大きいかどうかを判断し、負荷並べ替えリストにおけるセル数が所定の動作セル閾値より大きい場合、ステップ６０４に戻り、負荷並べ替えリストにおけるセル数が所定の動作セル閾値より大きくない場合、フローを終了する。具体的な実現で、実際の状況に応じてステップ６０８でのフロー終了の条件を設定するようにしてもよく、例えばセルクローズ比率に基づいて終了するかどうかを判断し、該セルクローズ比率が５０％を超えると、フローを終了する。
【００４２】
上記のステップ４０３および６０２で、スモールセル基地局からフィードバックされたものは、干渉指示であってもよく、マクロセル基地局は、相応的に、干渉指示に基づいて、クローズ対象のスモールセルを選択して、後続のフローを実行する。
【００４３】
説明すべきところとして、図３に示すフローに、ＩＡ方法を採用する前に、第２の所定負荷閾値に基づいて、前記クローズ対象の無線アクセスポイントの負荷の高低を判断し、前記クローズ対象の無線アクセスポイントの負荷が前記第２の所定負荷閾値より低い場合、ＩＡ方法を実行し、前記クローズ対象の無線アクセスポイントの負荷が前記第２の所定負荷閾値より低くない場合、ユーザ端末で測定された複数の無線アクセスポイントの信号強度指示に基づいて、セル選択を行うようにしてもよい。または、ステップ３０１の前に、所定干渉閾値に基づいて、前記クローズ対象の無線アクセスポイントによるほかの無線アクセスポイントへの干渉の高低を判断し、前記クローズ対象の無線アクセスポイントの干渉が前記所定干渉閾値より高い場合、ステップ３０１と３０２のＩＡ方法を実行し、前記クローズ対象の無線アクセスポイントの干渉が前記所定干渉閾値より高くない場合、ユーザ端末で測定された複数の無線アクセスポイントの信号強度指示に基づいて、セル選択を行う。あるいは、ステップ３０１の前に、所定カバレッジ閾値に基づいて、前記クローズ対象の無線アクセスポイントのカバーする領域の大小を判断し、前記クローズ対象の無線アクセスポイントのカバー領域が前記所定カバレッジ閾値より小さい場合、ステップ３０１と３０２とを実行し、前記クローズ対象の無線アクセスポイントのカバー領域が前記所定カバレッジ閾値より小さくない場合、ユーザ端末で測定された複数の無線アクセスポイントの信号強度指示に基づいて、セル選択を行う。
【００４４】
具体的な実現で、クローズ対象の無線アクセスポイントの負荷が第２の所定負荷閾値より高い状況、またはクローズ対象の無線アクセスポイントの干渉が所定干渉閾値より低い状況について、さらに、前記クローズ対象の無線アクセスポイントにおける通信分布が均一であるかどうかを判断し、均一である場合、ユーザ端末で測定された複数の無線アクセスポイントの信号強度指示に基づいてセル選択を行い、均一ではない場合、負荷分散方法に基づいてセル選択を行うようにしてよい。説明すべきところとして、ここでの負荷分散方法がリソース意識（ＲＡ：Ｒｅｓｏｕｒｃｅ  Ａｗａｒｅｎｅｓｓ）方法と呼ばれることもできる。具体的に、ＲＡ方法は、ＵＥを負荷の高いセルから負荷の低いセルに移転することにより、無線通信システムにおける複数のセルが負荷分散を達成することができる。
【００４５】
図７は、本発明の別の実施例でＩＡ方法とＲＳＲＰ方法とを採用してセル選択を行う具体的なフローを示す。図７に示す実施例で、表１に示すように、マクロセル基地局は、例えば負荷の高低などに基づいて、異なるスモールセルに対して異なるセル選択方法を採用する。
【００４６】
【表１】
2014220816.tif 000003
【００４７】
具体的に、ステップ７０１は、ステップ６０１に対応し、ステップ７０２は、ステップ６０２に対応し、ここで、説明を省略する。ステップ７０３で、マクロセル基地局は、各スモールセルの負荷の高低を判断する。負荷の低いスモールセルに対して、ステップ７０４を実行し、負荷の高いスモールセルに対して、ステップ７０５を実行し、フローを終了する。説明すべきところとして、マクロセル基地局は、第２の所定負荷閾値に基づいて、負荷の高低を判断するようにしてよく、閾値より高いものは高負荷であり、閾値より低いものは低負荷である。ステップ７０４におけるＩＡ方法について、ステップ６０３〜６０８のフローを参照でき、ステップ７０５におけるＲＳＲＰ方法について、ステップ２０２〜２０４のフローを参照でき、ここで、説明を省略する。さらに、ステップ７０３で、マクロセル基地局は、クローズ対象のスモールセルによるほかの無線アクセスポイントへの干渉の高低、および／または、クローズ対象のスモールセルのカバーする領域の大小に基づいて、ＩＡ方法それともＲＳＲＰ方法を選択するかを決定するようにしてもよい。一般的に、負荷低、干渉大および／またはカバレッジ小の状況で、ＩＡ方法を選択することができる。
【００４８】
図８は、本発明のさらに別の実施例でＩＡ方法、ＲＳＲＰ方法およびＲＡ方法を採用してセル選択を行う具体的なフローを示す。ここで、ＲＡ方法は、負荷分散方法であり、例えば複数のスモールセルの間で負荷のバランスを取るように、負荷の高いスモールセルで管轄されるＵＥを負荷の低いスモールセルに移転する。具体的に、ステップ８０１〜８０４は、それぞれ、図７におけるステップ７０１〜７０４に対応する。ステップ８０５で、スモールセルの分布が均一であるかどうかを判断し、分布が均一である場合、ステップ８０６を実行してＲＳＲＰ方法を採用してセル選択を行い、分布が均一ではない場合、ステップ８０７を実行してＲＡ方法を採用してセル選択を行う。その後、フローを終了する。ステップ８０５で、マクロセル基地局は、スモールセルグループにおける通信負荷が均一であるかどうか、または、ＵＥの分布が均一であるかどうか、などを考慮することができる。
【００４９】
即ち、図８に示す実施例で、表２に示すように、マクロセル基地局は、負荷の高低および分布の均一などの状況を考慮して、異なる状況のスモールセルに対して異なるセル選択方法を採用する。具体的に、表３は、ＲＳＲＰ方法、ＲＡ方法およびＩＡ方法を詳細に比較する。
【００５０】
【表２】
2014220816.tif 000004
【００５１】
【表３】
2014220816.tif 000005
【００５２】
マクロセル基地局のないシナリオについて（例えば図１ｃ）、スモールセルグループにおけるあるスモールセルＡによって、図３〜８におけるマクロセル基地局の機能を完成することができ、具体的なフローについて、図３〜８を参照し、ここで、説明を省略する。説明すべきところとして、該スモールセルＡは、自局の管轄するＵＥからＲＳＲＰ測定報告を取得するだけでなく、スモールセルグループにおけるほかのスモールセルから該ほかのスモールセルのＵＥから提供されるＲＳＲＰ測定報告も受信する。１つの実現で、ほかのスモールセルは、まず、自局のＵＥからＲＳＲＰ測定報告を取得してから、スモールセルＡに対しターゲットセル選択を行うように、自局の全てのＵＥのＲＳＲＰ測定報告をスモールセルＡに提供する。
【００５３】
図９〜１１は、本発明の１つまたは複数の実施例で、ＵＥ側によってセル選択を実行する方法における主な制御フローを示す。
【００５４】
図９に、ＵＥ１は、ステップ９０１でＲＳＲＰ測定を行う。ステップ９０２で、ソースセル基地局は、負荷指示（または干渉指示、カバー範囲など）を自局の管轄する全てのＵＥに送信する。ステップ９０３で、ＵＥ１は、ＩＡ方法に基づいて、ターゲットセルを選択する。ステップ９０４で、ＵＥ１は、ソースセル基地局へセル選択報告を送信する。具体的な実現で、セル選択報告には、ターゲットセルＩＤが付けられ、さらに、セル選択方法インジケータが付けられるようにしてよい。ここで、セル選択方法インジケータは、ＵＥが採用したのはＲＳＲＰ方法であるか、ＲＡ方法であるか、それともＩＡ方法であるかを指示する。具体的に、セル選択報告は、シグナリングを新たに追加し、または既存のシグナリング（例えばＲＳＲＰ測定報告）を採用して実現することができる。ステップ９０５で、ソースセル基地局は、自局の管轄する全てのユーザが、いずれも、ターゲットセルを選出したかどうかを判断し、自局の管轄する全てのユーザが、いずれも、ターゲットセルを選出した場合、ステップ９０６に進む。ステップ９０６で、ソースセル基地局は、自局の管轄する各ユーザに、ハンドオーバーコマンドを送信する。ハンドオーバーコマンドを受信したＵＥ１は、ステップ９０７で、ターゲットセル基地局へＰＲＡＣＨランダムアクセス要求を送信する。
【００５５】
図１０に、ステップ１００１は、ステップ９０１に対応し、ステップ１００２は、ステップ９０２に対応する。ステップ１００３で、ＵＥは、ＩＡ方法に基づいて、１つまたは複数のターゲットセルを探し出す。ステップ１００４で、ＵＥは、基地局へセル選択報告を送信する。上記のステップ１００１〜１００４は、ＵＥ側で実行される処理である。ステップ１００５で、基地局は、ＵＥに対しターゲットセルを決定する。ステップ１００６で、基地局は、自局の管轄する各ＵＥに対しターゲットセルを決定したかどうかを判断する。自局の管轄する各ＵＥに対しターゲットセルを決定した場合、ステップ１００７に進み、決定されたターゲットセルを、対応するＵＥの新しいサービングセルとして選択する。自局の管轄する各ＵＥに対しターゲットセルを決定していない場合、ステップ１００８に進み、ＲＳＲＰ方法に基づいて、第一ＲＳＲＰセル（即ち、最大となるＲＳＲＰを有するスモールセル）を新しいサービングセルとして選択する。その後、ステップ１００９に進み、対応するＵＥへハンドオーバーコマンドを送信し、該ＵＥに新しいサービングセルにハンドオーバーするよう要求する。
【００５６】
図１１と図９に示すフローは類似しているが、説明する必要がある相違点は、以下の通りである。ステップ１１０２で、ＵＥ１は、その隣接基地局（ソースセル基地局とターゲットセル基地局とを含む）の負荷指示ブロードキャスト（またはカバー範囲ブロードキャスト）を受信することができる。ステップ１１０３で、ソースセル基地局は、ＵＥ１へ基地局クローズ待ちコマンドを送信し、ＵＥ１に、ステップ１１０４を実行させて自局に対しターゲットセルを選択させる。ステップ１１０５で、ＵＥ１は、仮想ＲＳＲＰ測定報告により、選択されたターゲットセルＩＤをソースセル基地局に提供する。説明すべきところとして、通常のＲＳＲＰ測定報告に相応のフィールドを追加することで前記仮想ＲＳＲＰ測定報告を構造するようにしてよく、追加されたフィールドは、該ターゲットセルが必須ではなく、オプションなものであることを、ソースセル基地局へ指示する。ステップ１１０６で、ソースセル基地局は、クローズするかどうかを自ら決定し、例えば、ソースセル基地局は、自局の管轄する全てのユーザ端末がターゲットセルを探し出したときにクローズする。クローズを決定したとき、該ソースセル基地局は、そのサービスする全てのユーザ端末（ＵＥ１を含む）へ、ハンドオーバーコマンドを送信する。
【００５７】
相応的に、図１２に示す基地局は、上記の方法実施例（例えば図３〜８）に係るセル選択フローを実行することができる。具体的に、該基地局は、クローズ対象の無線アクセスポイントにおける各ユーザ端末に対しターゲットセルを検索するターゲットセル検索モジュール１２０１と、前記各ユーザ端末が、いずれも、対応するターゲットセルが存在する場合、前記クローズ対象の無線アクセスポイントにおけるユーザ端末を、対応するターゲットセルに移転して、前記クローズ対象の無線アクセスポイントをクローズするセルクローズ制御モジュール１２０２と、を含む。該基地局は、無線通信システムにおける無線アクセスポイントの負荷指示と、干渉指示と、カバー範囲とのうちの１つまたは複数のパラメータに基づいて、負荷の最も低いまたは干渉の最も大きいまたはカバレッジの最も小さい１つまたは複数の無線アクセスポイントを、前記クローズ対象の無線アクセスポイントとして選択するクローズ対象セル選択モジュール１２０３をさらに含む。
【００５８】
具体的な実現で、ターゲットセル検索モジュール１２０１は、無線通信システムにおける無線アクセスポイントの負荷指示と、干渉指示と、カバー範囲とのうちの１つまたは複数のパラメータに基づいて、前記ユーザ端末に対しターゲットセルを検索し、および／または、前記ユーザ端末で測定された信号強度指示に基づいて、ターゲットセルを検索する。
【００５９】
具体的な実現で、前記ターゲットセル検索モジュール１２０１は、無線通信システムの無線アクセスポイントから、接続ユーザ数またはリソース使用率が第１の所定負荷閾値より大きい無線アクセスポイントを、前記ターゲットセルとして選択し、または、前記システムの無線アクセスポイントから、平均ユーザスループットが第１の所定負荷閾値より小さい無線アクセスポイントを、前記ターゲットセルとして選択する。
【００６０】
具体的な実現で、前記ターゲットセル検索モジュール１２０１は、前記ユーザ端末で測定されたクローズ対象の無線アクセスポイントの信号強度指示と、無線通信システムにおけるほかの無線アクセスポイントの信号強度指示との差分に基づいて、前記ターゲットセルを選択し、前記差分が所定差分閾値より小さいほかの無線アクセスポイントを前記ターゲットセルとする。
【００６１】
本発明の別の実施例で、図１３に示す基地局は、上記の方法実施例（例えば図３〜８）に係るセル選択フローを実行することができる。具体的に、該基地局は、ターゲットセル検索モジュール１２０１と、セルクローズ制御モジュール１２０２とが設けられる第１のセル選択手段１３１を含む。ここで、ターゲットセル検索モジュール１２０１とセルクローズ制御モジュール１２０２との機能について、図１１の関連記載を参照し、ここで、説明を省略する。さらに、該第１のセル選択手段１３１は、クローズ対象セル選択モジュール１２０３も含む。
【００６２】
さらに、図１３に示す基地局は、第２のセル選択手段１３２と、セル選択制御手段１３３とを含む。
【００６３】
本発明の具体的な実現で、第２のセル選択手段１３２は、ユーザ端末で測定された複数の無線アクセスポイントの信号強度指示に基づいて、セル選択を行うことができる。セル選択制御手段１３３は、第２の所定負荷閾値に基づいて、前記クローズ対象の無線アクセスポイントの負荷の高低を判断し、前記クローズ対象の無線アクセスポイントの負荷が前記第２の所定負荷閾値より低い場合、前記第１のセル選択手段１３１の起動動作をトリガーし、前記クローズ対象の無線アクセスポイントの負荷が前記第２の所定負荷閾値より低くない場合、前記第２のセル選択手段１３２の起動動作をトリガーする。即ち、基地局は、ＩＡ方法を採用してセル選択を行うようにしてよく、または、ＲＳＲＰ方法を採用してセル選択を行うようにしてもよい。
【００６４】
または、セル選択制御手段１３３は、所定カバレッジ閾値に基づいて、前記クローズ対象の無線アクセスポイントのカバーする領域の大小を判断し、前記クローズ対象の無線アクセスポイントのカバー領域が前記所定カバレッジ閾値より低い場合、前記第１のセル選択手段１３１の起動動作をトリガーし、前記クローズ対象の無線アクセスポイントのカバー領域が前記所定カバレッジ閾値より低くない場合、前記第２のセル選択手段１３２の起動動作をトリガーする。
【００６５】
本発明の別の具体的な実現で、第２のセル選択手段１３２は、さらに、前記クローズ対象の無線アクセスポイントにおける通信分布が均一であるかどうかを判断し、均一である場合、ユーザ端末で測定された複数の無線アクセスポイントの信号強度指示に基づいてセル選択を行い、均一ではない場合、負荷分散方法に基づいてセル選択を行う。
【００６６】
相応的に、図１４に示す無線通信システムは、上記の方法実施例（例えば図９〜１１）に係るセル選択フローを実行することができ、該無線通信システムは、１つまたは複数の基地局（例えば基地局１４１２および基地局１４２２）と、ユーザ端末１４０１とを含む。
【００６７】
ここで、ユーザ端末１４０１は、前記１つまたは複数の基地局から、負荷指示と、干渉指示と、カバー範囲とのうちの１つまたは複数のパラメータを受信して、対応するターゲットセルを検索し、および／または、前記ユーザ端末で測定された信号強度指示に基づいて、ターゲットセルを検索して、決定されたターゲットセル識別子が付けられたセル選択報告を、該ユーザ端末のソースセル基地局（基地局１４１２に仮定する）に送信する。
【００６８】
前記ソースセル基地局１４１２は、自局の管轄する全てのユーザ端末１４０１が、いずれも、対応するターゲットセルを検索したとき、自局の管轄する各ユーザ端末へハンドオーバーコマンドを送信して、ハンドオーバーが完成した後に、自局をクローズする。
【００６９】
具体的に、前記ユーザ端末１４０１は、前記システムの無線アクセスポイントから、接続ユーザ数またはリソース使用率が第１の所定負荷閾値より大きい無線アクセスポイントを前記ターゲットセルとして選択し、または、前記システムの無線アクセスポイントから、平均ユーザスループットが第１の所定負荷閾値より小さい無線アクセスポイントを前記ターゲットセルとして選択する。
【００７０】
具体的に、前記ユーザ端末１４０１は、前記ユーザ端末で測定されたクローズ対象の無線アクセスポイントの信号強度指示と、前記システムにおけるほかの無線アクセスポイントの信号強度指示との差分に基づいて、前記ターゲットセルを選択し、前記差分が所定差分閾値より小さいほかの無線アクセスポイントを前記ターゲットセルとする。
【００７１】
ここからわかるように、本発明の実施例で提供されているセル選択方法、基地局、および無線通信システムは、実現の複雑さが低くなり、セルクローズによってたとえばＳＩＮＲなどの通信品質の改善をもたらし、これによってリソース利用およびＳＩＮＲなどの要素の間でバランスが取られる。
【００７２】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１ａ】
2014220816.tif 000006
【図１ｂ】
2014220816.tif 000007
【図１ｃ】
2014220816.tif 000008
【図２】
2014220816.tif 000009
【図３】
2014220816.tif 000010
【図４】
2014220816.tif 000011
【図５ａ】
2014220816.tif 000012
【図５ｂ】
2014220816.tif 000013
【図６】
2014220816.tif 000014
【図７】
2014220816.tif 000015
【図８】
2014220816.tif 000016
【図９】
2014220816.tif 000017
【図１０】
2014220816.tif 000018
【図１１】
2014220816.tif 000019
【図１２】
2014220816.tif 000020
【図１３】
2014220816.tif 000021
【図１４】
2014220816.tif 000022